(57)【要約】【課題】客観的な指標によってユーザの興奮度を判定できる情報処理装置、情報処理方法及びプログラムを提供する。【解決手段】情報処理装置は、少なくとも血圧を含む生体情報を測定する検出装置から、コンテンツを享受するユーザの生体情報を取得する生体情報取得部と、前記生体情報取得部により取得された前記生体情報に基づいて、前記ユーザの興奮度を判定する判定部と、を備える。【選択図】      図１
2018149081.tif 000002
【特許請求の範囲】
【請求項１】
少なくとも血圧を含む生体情報を測定する検出装置から、コンテンツを享受するユーザの生体情報を取得する生体情報取得部と、
前記生体情報取得部により取得された前記生体情報に基づいて、前記ユーザの興奮度を判定する判定部と、
を備える情報処理装置。
【請求項２】
前記生体情報取得部は、前記検出装置が前記ユーザの心拍の一拍ごとに測定した生体情報を取得する、
請求項１に記載の情報処理装置。
【請求項３】
前記判定部により判定された前記ユーザの興奮度に基づいて、前記コンテンツの評価値を決定する評価部を、さらに備える、
請求項１又は２に記載の情報処理装置。
【請求項４】
前記検出装置から、環境状態を示す環境情報を取得する環境情報取得部を、さらに備え、
前記判定部は、前記環境情報取得部により取得された前記環境情報を加味して前記ユーザの興奮度を判定する、
請求項１乃至３の何れか１項に記載の情報処理装置。
【請求項５】
前記検出装置から、前記ユーザの体の一部に生じた加速度を示す加速度情報を取得する加速度情報取得部を、さらに備え、
前記判定部は、前記加速度情報取得部により取得された前記加速度情報を加味して前記ユーザの興奮度を判定する、
請求項１乃至４の何れか１項に記載の情報処理装置。
【請求項６】
前記生体情報取得部は、複数のユーザの生体情報をそれぞれ取得し、
前記判定部は、前記生体情報取得部により取得された前記複数のユーザの生体情報に基づいて、前記複数のユーザの興奮度をそれぞれ判定し、
前記評価部は、前記判定された複数のユーザの興奮度に基づいて前記コンテンツの評価値を決定する、
請求項３に記載の情報処理装置。
【請求項７】
前記コンテンツは、動画コンテンツであり、
前記ユーザの興奮度に基づいて、興奮度が所定の閾値を超える期間を含むシーンを特定するシーン特定部を、さらに備える、
請求項１乃至６の何れか１項に記載の情報処理装置。
【請求項８】
前記評価部は、複数のコンテンツの評価値を決定し、
前記複数のコンテンツの評価値に基づくランキングを生成するランキング生成部を、さらに備える、
前記請求項３又は６に記載の情報処理装置。
【請求項９】
情報処理装置が、少なくとも血圧を含む生体情報を測定する検出装置から、コンテンツを享受するユーザの生体情報を取得する過程と、
前記情報処理装置が、前記取得された生体情報に基づいて前記ユーザの興奮度を判定する過程と
を備える情報処理方法。
【請求項１０】
前記情報処理装置が、前記判定する過程により判定された前記ユーザの興奮度に基づいて、前記コンテンツの評価値を決定する過程を、さらに備える、
請求項９に記載の情報処理方法。
【請求項１１】
請求項１乃至８のいずれかに記載の情報処理装置が備える各部としてプロセッサを機能させるプログラム。
【発明の詳細な説明】
【技術分野】
【０００１】
この発明は、ユーザの興奮度を判定する情報処理装置、情報処理方法及びプログラムに関連する。
【背景技術】
【０００２】
映画又はゲームなどのコンテンツの提供者は、当該コンテンツを享受するユーザの興奮度を調査したいことがある。従来、映画又はゲームなどのコンテンツによってユーザに生じた興奮度は、ユーザへのアンケートなどを通じて調査するのが一般的である。
【先行技術文献】
【特許文献】
【０００３】
【特許文献１】特開２０１６−００７４１４号公報
【発明の概要】
【発明が解決しようとする課題】
【０００４】
しかしながら、アンケートによる興奮度の判定では、アンケートに答えるユーザが持っている先入観又はバイアスによって正当な結果を得にくいことがある。このため、コンテンツによってユーザに生じた興奮度を客観的な指標により判定することができるものが要望されている。
【０００５】
そこで、本発明は、客観的な指標によってユーザの興奮度を判定できる情報処理装置、情報処理方法及びプログラムを提供する。
【課題を解決するための手段】
【０００６】
上記課題を解決するために第１の形態に係る情報処理装置は、少なくとも血圧を含む生体情報を測定する検出装置から、コンテンツを享受するユーザの生体情報を取得する生体情報取得部と、前記生体情報取得部により取得された前記生体情報に基づいて、前記ユーザの興奮度を判定する判定部と、を備える。
【０００７】
第２の形態に係る前記生体情報取得部は、前記検出装置が前記ユーザの心拍の一拍ごとに測定した生体情報を取得する。
【０００８】
第３の形態に係る情報処理装置は、前記判定部により判定された前記ユーザの興奮度に基づいて、前記コンテンツの評価値を決定する評価部を、さらに備える。
【０００９】
第４の形態に係る情報処理装置は、前記検出装置から、環境状態を示す環境情報を取得する環境情報取得部を、さらに備え、前記判定部は、前記環境情報取得部により取得された前記環境情報を加味して前記ユーザの興奮度を判定する。
【００１０】
第５の形態に係る情報処理装置は、前記検出装置から、前記ユーザの体の一部に生じた加速度を示す加速度情報を取得する加速度情報取得部を、さらに備え、前記判定部は、前記加速度情報取得部により取得された前記加速度情報を加味して前記ユーザの興奮度を判定する。
【００１１】
第６の形態に係る前記生体情報取得部は、複数のユーザの生体情報をそれぞれ取得し、前記判定部は、前記生体情報取得部により取得された前記複数のユーザの生体情報に基づいて、前記複数のユーザの興奮度をそれぞれ判定し、前記評価部は、前記判定された複数のユーザの興奮度に基づいて前記コンテンツの評価値を決定する。
【００１２】
第７の形態に係る前記コンテンツは、動画コンテンツであり、情報処理装置は、前記ユーザの興奮度に基づいて、興奮度が所定の閾値を超える期間を含むシーンを特定するシーン特定部を、さらに備える。
【００１３】
第８の形態に係る前記評価部は、複数のコンテンツの評価値を決定し、情報処理装置は、前記複数のコンテンツの評価値に基づくランキングを生成するランキング生成部を、さらに備える。
【発明の効果】
【００１４】
第１の形態によれば、情報処理装置において、ユーザの少なくとも血圧を含む生体情報に基づいてコンテンツによって生じるユーザの興奮度が判定される。その結果、客観的な指標に基づいて正確な興奮度を判定することができる。また、アンケートの実施又は集計などの、ユーザ及び調査者の手間がかからずに、ユーザの興奮度を調査することができる。
【００１５】
第２の形態によれば、情報処理装置において、一拍ごとに生体情報が取得される。その結果、情報処理装置では、コンテンツを享受するユーザの興奮度を連続して判定することができる。
【００１６】
第３の形態によれば、情報処理装置において、興奮度の判定結果に基づいてコンテンツの評価値が決定される。その結果、コンテンツによってユーザに生じる興奮度に応じてコンテンツの興奮度を示す１つの値としてコンテンツの評価値を求めることができる。
【００１７】
第４の形態によれば、情報処理装置において、環境情報が加味されたうえでユーザの興奮度が判定される。その結果、環境によって生じた生体情報の変化を考慮してより正確な興奮度の判定を行うことができる。
【００１８】
第５の形態によれば、情報処理装置において、ユーザの体の一部で発生した加速度が加味されたうえで興奮度が判定される。従って、ユーザの体の動静まで考慮したより正確に興奮度を判定することができる。
【００１９】
第６の形態によれば、情報処理装置において、複数のユーザの興奮度が判定され、その各判定結果に基づいてコンテンツの評価値が決定される。その結果、各ユーザの生体反応のばらつきが中和され、より正確なコンテンツの評価値を決定することができる。
【００２０】
第７の形態によれば、情報処理装置において、興奮度の高いシーンが特定される。その結果、興奮度の高いシーンをユーザに提示することができる。
【００２１】
第８の形態によれば、情報処理装置において、コンテンツのランキングが生成される。その結果、より高い興奮度を生じさせるコンテンツをランキングでユーザに提示することができる。
【図面の簡単な説明】
【００２２】
【図１】図１は、判定システムの構成例を概略的に示す図である。
【図２】図２は、情報処理装置の構成例を示すブロック図である。
【図３】図３は、検出装置の構成例を示すブロック図である。
【図４】図４は、情報処理装置の機能の構成例を示すブロック図である。
【図５】図５は、情報処理装置の動作例を示すフローチャートである。
【図６】図６は、動画コンテンツから生じた興奮度を示すグラフの例である。
【図７】図７は、動画コンテンツの評価値に基づくランキングの例である。
【発明を実施するための形態】
【００２３】
以下、この発明の一実施形態について、図面を参照して説明する。  
一実施形態の判定システムは、コンテンツによってユーザに生じた興奮度をユーザから測定される生体情報の測定値に基づいて判定する。判定システムは、ユーザに生じた興奮度からコンテンツの評価値を決定する。たとえば、判定システムが評価値を決定するコンテンツは、テレビジョン放送若しくは映画館などで視聴可能な動画コンテンツ、音楽などの音コンテンツ、テレビゲーム若しくは携帯ゲームなどのゲームコンテンツ、漫画若しくは小説などの本（電子書籍を含む）、又は、ジェットコースター、お化け屋敷若しくはバンジージャンプなどのアトラクションコンテンツなどである。コンテンツの構成は、特定の構成に限定されるものではない。
【００２４】
図１は、この発明の一実施形態に係る情報処理装置を備えた判定システム１の構成例を概略的に示す図である。  
図１に示すように、判定システム１は、情報処理装置１０、検出装置２０及びコンテンツ提供装置４０を備える。なお、判定システム１は、図１に示すような構成の他に必要に応じた構成を具備したり、特定の構成を除外したりしてもよい。
【００２５】
情報処理装置１０は、ディスクトップ型のパーソナルコンピュータ（ＰＣ）、ノートＰＣ、タブレットＰＣ又はスマートフォンなどである。また、情報処理装置１０は、検出装置２０と有線又は無線回線を介してデータを送受信する。情報処理装置１０は、検出装置２０から出力された検出データを受信し、受信された検出データなどに基づいて、コンテンツ提供装置４０が提供するコンテンツの興奮度を判定する。なお、情報処理装置１０は、１人のユーザの生体情報などに基づいてコンテンツの興奮度を判定してもよいし、複数のユーザの生体情報などに基づいてコンテンツによって生じる興奮度を判定してもよい。
【００２６】
また、情報処理装置１０は、コンテンツ提供装置４０とデータを送受信する。情報処理装置１０は、たとえば、コンテンツ提供装置４０からコンテンツを特定するコンテンツ情報などを取得する。
【００２７】
情報処理装置１０については、後に詳述する。
【００２８】
検出装置２０は、ユーザの腕に取り付けられる腕時計型のウェアラブル端末である。検出装置２０は、種々のセンサを用いてユーザの生体情報を取得する。また、検出装置２０は、ユーザの体に生じた加速度を示す加速度情報を取得する。また、検出装置２０は、種々のセンサを通じて周囲の環境情報を取得する。検出装置２０は、取得した生体情報、加速度情報及び環境情報を情報処理装置１０へ送信する。
【００２９】
なお、検出装置２０は、コンテンツ提供装置４０が提供するコンテンツを享受している間のユーザの生体情報を検出できるものであればどのようなセンサを使用してもよく、また装置のタイプもウェアラブル端末に限定されるものではない。  
検出装置２０については、後に詳述する。
【００３０】
コンテンツ提供装置４０は、ユーザにコンテンツを提供する。コンテンツ提供装置４０は、コンテンツを提供するための種々のユーザインターフェースを備える。コンテンツ提供装置４０は、インターフェースとして、たとえばモニタ、スピーカ、リモートコントローラ又はＶＲ（ｖｉｒｔｕａｌ  ｒｅａｌｉｔｙ）ゴーグルを備える。
【００３１】
コンテンツ提供装置４０は、モニタ、スピーカ又はＶＲゴーグルを通じて、たとえばユーザに対し動画コンテンツを提供する。また、コンテンツ提供装置４０は、モニタを通じて電子書籍などの本を表示してもよい。また、コンテンツ提供装置４０は、スピーカを通じて音楽又は朗読などの音コンテンツを提供してもよい。また、コンテンツ提供装置４０は、モニタ、ＶＲゴーグル、スピーカ又はコントローラなどを通じてゲームコンテンツを提供してもよい。  
コンテンツ提供装置４０の構成は、特定の構成に限定されるものではない。
【００３２】
次に、情報処理装置１０について説明する。  
図２は、実施形態に係る情報処理装置１０の構成例を示すブロック図である。  
図２が示す構成例において、情報処理装置１０は、プロセッサ１１、ＲＯＭ１２、ＲＡＭ１３、ＮＶＭ１４、検出装置インターフェース１５、操作部１６及び表示部１７などを備える。これらの各部は、データバスを介して互いに接続される。なお、情報処理装置１０は、図２が示すような構成の他に必要に応じた構成を具備したり、特定の構成を除外したりしてもよい。
【００３３】
プロセッサ１１は、情報処理装置１０全体の動作を制御する機能を有する。プロセッサ１１は、内部キャッシュおよび各種のインターフェースなどを備えてもよい。プロセッサ１１は、内部メモリ、ＲＯＭ１２又はＮＶＭ１４が予め記憶するプログラムを実行することにより種々の処理を実現する。
【００３４】
なお、プロセッサ１１がプログラムを実行することにより実現する各種の機能のうちの一部は、ハードウエア回路により実現されるものであってもよい。この場合、プロセッサ１１は、ハードウエア回路により実行される機能を制御する。
【００３５】
ＲＯＭ１２は、制御プログラム及び制御データなどが予め記憶された不揮発性のメモリである。ＲＯＭ１２に記憶される制御プログラム及び制御データは、情報処理装置１０の仕様に応じて予め組み込まれる。ＲＯＭ１２は、たとえば、情報処理装置１０の回路基板を制御するプログラム（たとえば、ＢＩＯＳ）などを格納する。
【００３６】
ＲＡＭ１３は、揮発性のメモリである。ＲＡＭ１３は、プロセッサ１１の処理中のデータなどを一時的に格納する。ＲＡＭ１３は、プロセッサ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００３７】
ＮＶＭ１４は、データの書き込み及び書き換えが可能な不揮発性のメモリである。ＮＶＭ１４は、たとえば、ＨＤＤ（Hard Disk Drive）、ＳＳＤ（Solid State Drive）、ＥＥＰＲＯＭ（登録商標）又はフラッシュメモリなどにから構成される。ＮＶＭ１４は、情報処理装置１０の運用用途に応じて制御プログラム、アプリケーション、及び種々のデータなどを格納する。
【００３８】
検出装置インターフェース１５は、検出装置２０とデータを送受信するためのインターフェースである。検出装置インターフェース１５は、有線又は無線回線を介して検出装置２０と接続する。たとえば、検出装置インターフェース１５は、ＬＡＮ接続、ＵＳＢ接続又はｂｌｕｅｔｏｏｔｈ（登録商標）による接続をサポートするものであってもよい。
【００３９】
操作部１６は、たとえば、キーボード、テンキー及びタッチパネルから構成される。操作部１６は、情報処理装置１０のオペレータが入力した種々の操作指示を取り込み、オペレータに入力された操作指示を表す信号をプロセッサ１１へ送信する。
【００４０】
表示部１７は、たとえば液晶モニタから構成される。表示部１７は、プロセッサ１１の制御により種々の情報を表示する。なお、操作部１６がタッチパネルなどで構成される場合、表示部１７は、操作部１６と一体的に形成されてもよい。
【００４１】
次に、検出装置２０について説明する。  
図３は、実施形態に係る検出装置２０の構成例を示すブロック図である。  
図３が示す構成例において、検出装置２０は、プロセッサ２１、メモリ２２、通信部２３、操作部２４、表示部２５、生体センサ２６、加速度センサ２７及び環境センサ２８などを備える。これらの各部は、データバスを介して互いに接続される。なお、検出装置２０は、図３が示すような構成の他に必要に応じた構成を具備したり、特定の構成を除外したりしてもよい。
【００４２】
プロセッサ２１は、検出装置２０全体の動作を制御する機能を有する。プロセッサ２１は、内部キャッシュおよび各種のインターフェースなどを備えてもよい。プロセッサ２１は、内部メモリ又はメモリ２２が予め記憶するプログラムを実行することにより種々の処理を実現する。
【００４３】
なお、プロセッサ２１がプログラムを実行することにより実現する各種の機能のうちの一部は、ハードウエア回路により実現されるものであってもよい。この場合、プロセッサ２１は、ハードウエア回路により実行される機能を制御する。
【００４４】
メモリ２２は、種々のデータを揮発又は不揮発に格納する。たとえば、メモリ２２は、プロセッサ２１の処理中のデータなどを一時的に格納する。また、メモリ２２は、検出装置２０の運用用途に応じて制御プログラム、アプリケーション、及び種々のデータを格納する。メモリ２２は、ユーザの生体情報、加速度情報又は環境情報などを一時的又は非一時的に格納する。
【００４５】
通信部２３は、情報処理装置１０とデータを送受信するためのインターフェースである。たとえば、通信部２３は、有線又は無線回線を介して情報処理装置１０と接続する。たとえば、通信部２３は、ＬＡＮ接続、ＵＳＢ接続又はｂｌｕｅｔｏｏｔｈによる接続をサポートするものであってもよい。
【００４６】
操作部２４は、たとえば、キーボード、テンキー及びタッチパネルから構成される。操作部２４は、検出装置２０を装着するユーザが入力した種々の操作指示を取り込み、当該操作指示を表す信号をプロセッサ２１へ出力する。
【００４７】
表示部２５は、たとえば液晶モニタから構成される。表示部２５は、プロセッサ２１の制御により種々の情報を表示する。なお、操作部２４がタッチパネルなどで構成される場合、表示部２５は、操作部２４と一体的に形成されてもよい。
【００４８】
生体センサ２６は、測定対象とする生体情報を測定するためのセンサから構成される。生体センサ２６は、連続又は所定の時間間隔でユーザの生体に関する生体情報を測定する。生体センサ２６は、少なくとも血圧を測定する血圧センサ２６１を含む。なお、生体センサ２６は、心拍を測定する心拍センサ、心電図を測定する心電センサ、脈波を測定する脈波センサ、脈拍を測定する脈拍センサ、体温を測定する体温センサ又は発汗状態を測定する発汗センサなどを含むものであってもよい。また、生体センサ２６は、頭部に設置され脳波を測定するセンサを備えてもよい。
【００４９】
血圧センサ２６１は、生体情報として、ユーザの血圧を測定するセンサである。たとえば、血圧センサ２６１は、ユーザの心拍の一拍ごと（連続的）に血圧を測定可能な血圧センサ（以降、連続型の血圧センサと称する）であってもよい。連続型の血圧センサは、脈波伝播時間（ＰＴＴ；Ｐｕｌｓｅ  Ｔｒａｎｓｉｔ  Ｔｉｍｅ）からユーザの血圧を連続測定するものであってもよいし、トノメトリ法または他の技法により連続測定を実現してもよい。また、血圧センサ２６１は、非連続的に血圧を測定する非連続型の血圧センサであってもよい。非連続型の血圧センサは、たとえば、カフを圧力センサとして用いてユーザの血圧を測定するものであってもよい（オシロメトリック法）。なお、血圧センサ２６１は、特定の構成に限定されるものではない。
【００５０】
また、血圧センサ２６１以外の各センサも、連続又は所定の時間間隔でユーザの生体情報を測定する。すなわち、生体センサ２６を構成する各センサは、心臓が一拍鼓動するごと（連続的）に生体情報を測定してもよいし、所定の時間間隔で生体情報を測定してもよい。
【００５１】
また、生体センサ２６を構成する各センサは、測定結果を示す測定値（生体情報の状態を示す値（生体情報の測定値））をプロセッサ２１へ出力する。たとえば、生体センサ２６の各センサは、生体情報を測定する度に測定した生体情報の測定値をプロセッサ２１へ出力してもよい。また、生体センサ２６の各センサは、所定の時間間隔で生体情報の測定値をプロセッサ２１へ送信してもよい。また、生体センサ２６は、バッファ用のメモリを有し、所定の時間間隔内で測定した生体情報の測定値をまとめてプロセッサ２１へ出力してもよい。
【００５２】
加速度センサ２７は、加速度センサ２７が受ける加速度を検出する。たとえば、加速度センサ２７は、ユーザの手首に生じる３軸の加速度情報を検出する。加速度センサ２７は、加速度の測定値を示す加速度情報をプロセッサ２１へ出力する。
【００５３】
環境センサ２８は、連続又は所定の時間間隔でユーザの周辺の環境を示す環境情報を測定する。たとえば、環境センサ２８は、環境情報としての気温を測定する気温センサ２８１を含む。なお、環境センサ２８は、湿度を測定する湿度センサ、気圧を測定する気圧センサ、照度を測定する照度センサ、音を測定するマイクなどを備えてもよい。
【００５４】
気温センサ２８１は、サーミスタ、熱電対又は赤外線センサなどから構成される。気温センサ２８１は、ユーザの周辺の気温を測定する。また、気温センサ２８１は、検知部が実際に測定する値をユーザの体温の影響に応じて補正した値を気温の測定値として出力するものであってもよい。気温センサ２８１の構成は、特定の構成に限定されるものではない。なお、プロセッサ２１が気温センサ２８１の測定値をユーザの体温の影響に応じて補正することにより気温を測定してもよい。
【００５５】
また、環境センサ２８の各センサは、測定結果を示す値（環境状態を示す値（環境情報の測定値））をプロセッサ２１へ出力する。たとえば、環境センサ２８は、環境情報を測定する度に当該環境情報の測定値をプロセッサ２１へ出力してもよい。また、環境センサ２８の各センサは、所定の時間間隔で環境情報の測定値をプロセッサ２１へ送信してもよい。たとえば、環境センサ２８は、バッファメモリを有し、所定の間隔内で測定した環境情報の測定値をまとめてプロセッサ２１へ送信してもよい。
【００５６】
なお、検出装置２０は、ジャイロセンサなどを備えてもよい。たとえば、ジャイロセンサは、３軸方向の回転を検出し、検出結果をプロセッサ２１へ送信する。
【００５７】
次に、検出装置２０のプロセッサ２１が実現する機能について説明する。  
まず、プロセッサ２１は、生体センサ２６の各センサから生体情報を取得する機能を有する。たとえば、プロセッサ２１は、血圧センサ２６１から生体情報として血圧の測定値（血圧値）を取得する。
【００５８】
たとえば、プロセッサ２１は、血圧センサ２６１に対して血圧値を取得するコマンドを送信し、当該コマンドに対するレスポンスとして血圧値を取得する。また、プロセッサ２１は、血圧センサ２６１が所定のタイミングで送信する血圧値を取得してもよい。なお、プロセッサ２１は、生体センサ２６から、生体情報の測定値として、心拍、心電、脈波、脈拍、体温、発汗又は脳波の測定値を取得してもよい。
【００５９】
また、プロセッサ２１は、加速度センサ２７から３軸方向の加速度情報を取得する機能を有する。  
たとえば、プロセッサ２１は、加速度センサ２７に対して加速度情報を取得するコマンドを送信し、当該コマンドに対するレスポンスとして加速度情報を取得する。また、プロセッサ２１は、加速度センサ２７が所定のタイミングで送信する加速度情報を取得してもよい。
【００６０】
また、プロセッサ２１は、環境センサ２８から環境情報を取得する機能を有する。たとえば、プロセッサ２１は、気温センサ２８１から環境情報の測定値として気温を取得する。
【００６１】
たとえば、プロセッサ２１は、気温センサ２８１に対して気温を取得するコマンドを送信し、当該コマンドに対するレスポンスとして気温を取得する。また、プロセッサ２１は、気温センサ２８１が所定のタイミングで送信する気温を取得してもよい。プロセッサ２１は、環境センサ２８から、環境情報の測定値として、湿度、気圧、照度又は音の状態を示す値を取得してもよい。
【００６２】
また、プロセッサ２１は、生体情報、加速度情報及び環境情報を情報処理装置１０へ送信する機能を有する。  
たとえば、プロセッサ２１は、通信部２３を通じて生体情報、加速度情報及び環境情報を情報処理装置１０へ送信する。
【００６３】
たとえば、プロセッサ２１は、通信部２３を通じて生体情報、加速度情報及び環境情報のリクエストを情報処理装置１０から受信すると、当該リクエストに対するレスポンスとして生体情報、加速度情報及び環境情報を送信する。また、プロセッサ２１は、通信部２３を通じて、所定のタイミングで生体情報、加速度情報及び環境情報を情報処理装置１０へ送信してもよい。
【００６４】
また、プロセッサ２１は、生体情報、加速度情報及び環境情報に時刻を示す時刻情報を含めてもよい。たとえば、プロセッサ２１は、生体情報の測定値、加速度情報の測定値及び環境情報の測定値を測定した時刻を示す時刻情報をそれぞれ生体情報、加速度情報及び環境情報に含めてもよい。  
また、プロセッサ２１は、生体センサ２６、加速度センサ２７及び環境センサ２８から各測定値が測定された時刻を示す時刻情報を取得してもよい。
【００６５】
なお、プロセッサ２１は、加速度情報及び環境情報の何れか又は両者を情報処理装置１０へ送信しなくともよい。また、プロセッサ２１は、他の情報を情報処理装置１０へ送信してもよい。
【００６６】
次に、情報処理装置１０のプロセッサ１１が実現する機能について説明する。  
図４は、情報処理装置１０が実現する機能を示すブロック図である。図４が示すように、情報処理装置１０は、コンテンツ情報取得部３１、生体情報取得部３２、加速度情報取得部３３、環境情報取得部３４、判定部３５及び評価部３６などを備える。コンテンツ情報取得部３１、生体情報取得部３２、加速度情報取得部３３、環境情報取得部３４、判定部３５及び評価部３６は、プロセッサ１１がＮＶＭ１４などに格納されるプログラムを実行することによって実現される。
【００６７】
まず、プロセッサ１１は、コンテンツ情報取得部３１として、コンテンツ提供装置４０が提供するコンテンツを特定するコンテンツ情報を取得する機能を有する。  
たとえば、プロセッサ１１は、コンテンツ提供装置４０からコンテンツ情報を取得する。また、プロセッサ１１は、操作部１６を通じてオペレータなどからコンテンツ情報の入力を受け付けてもよい。
【００６８】
また、プロセッサ１１は、生体情報取得部３２として、生体情報を取得する機能を有する。プロセッサ１１は、検出装置インターフェース１５を通じて検出装置２０から生体情報を取得する。たとえば、プロセッサ１１は、検出装置インターフェース１５を通じて生体情報のリクエストを検出装置２０へ送信し、当該リクエストに対するレスポンスとして生体情報を受信する。また、プロセッサ１１は、検出装置インターフェース１５を通じて検出装置２０が所定のタイミングで送信する生体情報を受信してもよい。  
たとえば、プロセッサ１１は、一拍ごとに測定された生体情報を取得してもよい。  
また、プロセッサ１１は、複数のユーザの生体情報を取得してもよい。
【００６９】
また、プロセッサ１１は、加速度情報取得部３３として、加速度情報を取得する機能を有する。プロセッサ１１は、検出装置インターフェース１５を通じて検出装置２０から加速度情報を取得する。たとえば、プロセッサ１１は、検出装置インターフェース１５を通じて加速度情報のリクエストを検出装置２０へ送信し、当該リクエストに対するレスポンスとして加速度情報を受信する。また、プロセッサ１１は、検出装置インターフェース１５を通じて検出装置２０が所定のタイミングで送信する加速度情報を受信してもよい。  
また、プロセッサ１１は、一拍ごとに測定された加速度情報を取得してもよい。  
また、プロセッサ１１は、複数のユーザの加速度情報を取得してもよい。
【００７０】
また、プロセッサ１１は、環境情報取得部３４として、環境情報を取得する機能を有する。プロセッサ１１は、検出装置インターフェース１５を通じて検出装置２０から環境情報を取得する。たとえば、プロセッサ１１は、検出装置インターフェース１５を通じて環境情報のリクエストを検出装置２０へ送信し、当該リクエストに対するレスポンスとして環境情報を受信する。また、プロセッサ１１は、検出装置インターフェース１５を通じて検出装置２０が所定のタイミングで送信する環境情報を受信してもよい。
【００７１】
なお、プロセッサ１１は、検出装置２０以外の装置から環境情報を取得してもよい。たとえば、判定システム１は、環境情報を測定する測定装置を所定の位置に備えてもよい。たとえば、測定装置は、温度センサなどを備えてもよい。たとえば、プロセッサ１１は、温度などの測定値を示す環境情報を測定装置から取得してもよい。  
また、プロセッサ１１は、一拍ごとに測定された環境情報を取得してもよい。  
また、プロセッサ１１は、複数のユーザの環境情報を取得してもよい。
【００７２】
なお、プロセッサ１１は、生体情報取得部３２、加速度情報取得部３３及び環境情報取得部３４を同時に実現してもよい。たとえば、プロセッサ１１は、検出装置２０から生体情報、加速度情報及び環境情報を同時に取得してもよい。たとえば、プロセッサ１１は、各情報を取得するためのリクエストを検出装置２０に送信してもよい。  
また、プロセッサ１１は、加速度情報及び環境情報の何れか又は両者を取得しなくともよい。
【００７３】
また、プロセッサ１１は、判定部３５として、コンテンツ提供装置４０が提供するコンテンツを享受するユーザの興奮度を判定する機能を有する。たとえば、プロセッサ１１は、生体情報、加速度情報又は環境情報を取得する度に、ユーザの興奮度を判定する。また、プロセッサ１１は、所定の時間間隔でユーザの興奮度を判定してもよい。
【００７４】
たとえば、プロセッサ１１は、生体情報が示す血圧値に基づいて興奮度を判定する。この場合、プロセッサ１１は、血圧値が高いと興奮度も高いと判定する。また、プロセッサ１１は、所定の閾値（たとえば、ユーザに固有の平均的な血圧値）と血圧値とを比較して興奮度を判定してもよい。また、プロセッサ１１は、過去の血圧値（たとえば、直近の所定の期間の血圧値）と現在の血圧値とを比較して興奮度を判定してもよい。また、プロセッサ１１は、連続的に測定する血圧値の変動によって興奮度を判定してもよい。この場合、プロセッサ１１は、たとえば血圧値が上昇すればするほど、興奮度が高いと判定する。
【００７５】
また、プロセッサ１１は、生体情報としての心拍数（所定時間当たりの心拍数）に基づいて興奮度を判定してもよい。この場合、プロセッサ１１は、心拍数が高いと興奮度も高いと判定する。また、プロセッサ１１は、所定の閾値（たとえば、ユーザに固有の平均的な心拍数）と心拍数とを比較して興奮度を判定してもよい。また、プロセッサ１１は、過去の心拍数（たとえば、直近の所定の期間の心拍数）と現在の心拍数とを比較して興奮度を判定してもよい。また、プロセッサ１１は、連続的に測定する心拍数の変動によって興奮度を判定してもよい。この場合、プロセッサ１１は、心拍数が上昇すればするほど、興奮度が高いと判定する。
【００７６】
また、プロセッサ１１は、生体情報としての心電、脈波、脈拍、体温、発汗又は脳波などに基づいて興奮度を判定してもよい。
【００７７】
さらに、プロセッサ１１は、生体情報に加えて、加速度情報を加味して興奮度を判定してもよい。この場合、プロセッサ１１は、加速度情報が示す加速度が大きいと興奮度も高いと判定する。また、プロセッサ１１は、所定の閾値（たとえば、ユーザに固有の平均的な加速度）と加速度とを比較して興奮度を判定してもよい。また、プロセッサ１１は、過去の加速度（たとえば、直近の所定の期間の加速度）と現在の加速度とを比較して興奮度を判定してもよい。
【００７８】
また、プロセッサ１１は、生体情報に加えて、環境情報を加味して興奮度を判定してもよい。たとえば、プロセッサ１１は、環境情報が示す気温に基づいて興奮度を判定する。血圧値が気温の変化に応じて変化することが知られているため、プロセッサ１１は、血圧値の変化（たとえば、上昇）が気温の変化（たとえば、気温の低下）に連動している場合には、血圧値の変化が気温の変化によるものと判定する。すなわち、プロセッサ１１は、気温の変動によって生じると推定される血圧値の変化分によって、血圧センサ２６１が実際に測定する血圧の測定値を補正して興奮度を判定する。たとえば、プロセッサ１１は、血圧値の変化から生じる興奮度の上昇又は下降を少なく（又は、興奮度の上昇又は下降がないと）判定する。
【００７９】
なお、プロセッサ１１は、環境情報が示す湿度、気圧、照度又は音など基づいて興奮度を判定してもよい。
【００８０】
また、プロセッサ１１は、各測定値を引数とする評価関数を用いて興奮度を算出してもよい。たとえば、プロセッサ１１は、各測定値を評価関数に代入して興奮度を算出してもよい。
【００８１】
また、プロセッサ１１は、加速度情報及び環境情報の何れか又は何れも用いずに興奮度を算出してもよい。  
また、プロセッサ１１は、複数のユーザについての生体情報、加速度情報及び環境情報に基づいて、複数のユーザの興奮度をそれぞれ判定してもよい。
【００８２】
プロセッサ１１が興奮度を判定する方法は、特定の方法に限定されるものではない。
【００８３】
また、プロセッサ１１は、評価部３６として、ユーザの興奮度に基づいて、コンテンツ情報が特定するコンテンツの興奮度を示す評価値を決定する機能を有する。  
たとえば、プロセッサ１１は、ユーザがコンテンツを享受している間における興奮度の平均値を当該コンテンツの評価値としてもよい。また、プロセッサ１１は、興奮度の最大値をコンテンツの評価値としてもよい。
【００８４】
また、プロセッサ１１は、複数のユーザの興奮度に基づいてコンテンツの評価値を決定してもよい。たとえば、プロセッサ１１は、ユーザがコンテンツを享受している間において各ユーザの興奮度の平均値を算出し各ユーザの興奮度に平均値をさらに平均した値をコンテンツの評価値としてもよい。
【００８５】
また、プロセッサ１１は、各ユーザの興奮度の最大値の平均値をコンテンツの評価値としてもよい。  
プロセッサ１１が評価値を決定する方法は、特定の方法に限定されるものではない。
【００８６】
なお、プロセッサ１１は、表示部１７に評価値を表示してもよい。また、プロセッサ１１は、外部装置へ評価値を送信してもよい。また、プロセッサ１１は、評価値をＮＶＭ１４に格納してもよい。
【００８７】
次に、情報処理装置１０の動作例について説明する。  
図５は、情報処理装置１０の動作例について説明するためのフローチャートである。  
まず、情報処理装置１０のプロセッサ１１は、コンテンツ提供装置４０がユーザに提供するコンテンツを特定するコンテンツ情報を取得する（Ｓ１１）。
【００８８】
コンテンツ情報を取得すると、プロセッサ１１は、コンテンツ提供装置４０がコンテンツの提供を開始したか判定する（Ｓ１２）。たとえば、プロセッサ１１は、コンテンツ提供装置４０からコンテンツの提供を開始したことを示す信号を受信し、当該信号の受信を検出したことによりコンテンツの提供を開始したと判定する。また、プロセッサ１１は、操作部１６を通じてコンテンツ提供装置４０がコンテンツの提供を開始したことを示す操作の入力を受け付けてもよい。
【００８９】
コンテンツ提供装置４０がコンテンツの提供を開始していないと判定すると（Ｓ１２、ＮＯ）、プロセッサ１１は、Ｓ１２に戻る。
【００９０】
コンテンツ提供装置４０がコンテンツの提供を開始したと判定すると（Ｓ１２、ＹＥＳ）、プロセッサ１１は、検出装置２０などを用いて、生体情報、加速度情報及び環境情報を取得する（Ｓ１３）。
【００９１】
生体情報、加速度情報及び環境情報を取得すると、プロセッサ１１は、生体情報、加速度情報及び環境情報などに基づいて、ユーザの興奮度を判定する（Ｓ１４）。ユーザの興奮度を判定すると、プロセッサ１１は、判定した興奮度をＮＶＭ１４などに格納する（Ｓ１５）。
【００９２】
興奮度をＮＶＭ１４などに格納すると、プロセッサ１１は、コンテンツ提供装置４０がコンテンツの提供を終了したか判定する（Ｓ１６）。たとえば、プロセッサ１１は、コンテンツ提供装置４０からコンテンツの提供を終了したことを示す信号を受信し、当該信号の受信を検出したことによりコンテンツの提供を終了したと判定する。また、プロセッサ１１は、操作部１６を通じてコンテンツ提供装置４０がコンテンツの提供を終了したことを示す操作の入力を受け付けてもよい。
【００９３】
コンテンツ提供装置４０がコンテンツの提供を終了していないと判定すると（Ｓ１６、ＮＯ）、プロセッサ１１は、Ｓ１３に戻る。  
コンテンツ提供装置４０がコンテンツの提供を終了したと判定すると（Ｓ１６、ＹＥＳ）、プロセッサ１１は、ＮＶＭ１４などに格納した興奮度に基づいてコンテンツ情報が特定するコンテンツの評価値を決定する（Ｓ１７）。コンテンツの評価値を決定すると、プロセッサ１１は、動作を終了する。
【００９４】
なお、プロセッサ１１は、コンテンツの提供の開始前又は終了後においてもユーザの興奮度を判定してもよい。  
また、プロセッサ１１は、判定した興奮度を検出装置２０へ送信してもよい。検出装置２０のプロセッサ２１は、受信した興奮度を表示部２５に表示してもよい。
【００９５】
また、検出装置２０は、情報処理装置１０の機能を備えていてもよい。  
この場合、検出装置２０のプロセッサ２１は、生体情報などに基づいてユーザの興奮度を判定する。プロセッサ２１は、通信部２３などを通じて判定された興奮度を情報処理装置１０へ送信する。情報処理装置１０は、受信した興奮度に基づいてコンテンツの評価値を決定する。
【００９６】
また、検出装置２０のプロセッサ２１は、ユーザの興奮度を判定しコンテンツの評価値を決定してもよい。プロセッサ２１は、通信部２３などを通じて当該評価値を情報処理装置１０へ送信してもよい。
【００９７】
また、プロセッサ１１は、コンテンツの提供の終了後に、ユーザの興奮度を判定しコンテンツの評価値を決定してもよい。たとえば、プロセッサ１１は、コンテンツ提供中におけるユーザの生体情報、加速度情報及び環境情報を取得する。たとえば、プロセッサ１１は、ＮＶＭ１４から生体情報、加速度情報及び環境情報を取得する。また、プロセッサ１１は、外部装置から生体情報、加速度情報及び環境情報を取得してもよい。プロセッサ１１は、取得した生体情報、加速度情報及び環境情報に基づいてコンテンツ提供中の興奮度を判定する。プロセッサ１１は、判定した興奮度に基づいてコンテンツの評価値を決定する。
【００９８】
以上述べたように一実施形態によれば、情報処理装置は、ユーザの少なくとも血圧を含む生体情報に基づいてコンテンツによって生じた興奮度を判定する。そのため、情報処理装置は、客観的な指標に基づいてユーザの興奮度を判定することができる。
（応用例１）
次に、一実施形態に係る情報処理装置１０の応用例について説明する。  
ここでは、情報処理装置１０のプロセッサ１１は、映画、ドラマ又はテレビ番組などの動画コンテンツから生じた興奮度を判定するものとする。
【００９９】
プロセッサ１１は、時系列の興奮度に基づいて動画コンテンツの推奨シーンを特定する（シーン特定部）。推奨シーンは、興奮度が高いシーンである。即ち、推奨シーンは、ユーザに高い興奮度を生じさせる。たとえば、推奨シーンは、興奮度が所定の閾値を超える期間を含んだシーンである。
【０１００】
図６は、動画コンテンツから生じた興奮度を示すグラフの例である。図６において、横軸は、時間を示す。また、縦軸は、興奮度を示す。  
図６が示す例では、動画コンテンツは、所定の閾値を超える興奮度が生じた期間を有する。  
プロセッサ１１は、推奨シーンとして、当該期間を含むシーン（シーンＡ及びシーンＢ）を特定する。
【０１０１】
なお、プロセッサ１１は、所定の閾値を超える興奮度が生じた期間を推奨シーンとして特定してもよい。また、プロセッサ１１は、興奮度が所定の閾値を超える期間を含んだ所定の期間（たとえば、当該期間を含むカットなど）を推奨シーンとして特定してもよい。  
プロセッサ１１が推奨シーンを特定する方法は、特定の方法に限定されるものではない。
【０１０２】
以上のように構成された情報処理装置は、動画コンテンツにおいて高い興奮度を生じさせる推奨シーンを特定する。その結果、情報処理装置は、より興奮するシーンをユーザに提示することができる。
（応用例２）
次に、一実施形態に係る情報処理装置１０の他の応用例について説明する。  
ここでは、情報処理装置１０のプロセッサ１１は、映画、ドラマ又はテレビ番組などの動画コンテンツの評価値を決定するものとする。
【０１０３】
プロセッサ１１は、複数の動画コンテンツの評価値に基づいて、評価値のランキングを作成する。たとえば、プロセッサ１１は、複数の動画コンテンツからそれぞれ生じた興奮度を判定する。プロセッサ１１は、複数の動画コンテンツから生じた興奮度に基づいて、各動画コンテンツの評価値を決定する。  
プロセッサ１１は、評価値を昇順に並べ替えて、各動画コンテンツの評価値に基づくランキング（評価値ランキング）を生成する（ランキング生成部）。
【０１０４】
図７は、評価値ランキングの構成例を示す。図７が示すように、評価値ランキングは、順位、コンテンツ及び評価値を対応付けて表示する。
【０１０５】
順位は、評価値の順位である。  
コンテンツは、コンテンツの名称を示す。  
評価値は、対応するコンテンツの評価値を示す。  
なお、評価値ランキングの構成は、特定の構成に限定されるものではない。
【０１０６】
以上のように構成された情報処理装置は、複数の動画コンテンツに関して評価値のランキングを生成する。その結果、情報処理装置は、より高い興奮度を生じさせる動画コンテンツをランキング形式でユーザに提示することができる。
【０１０７】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。たとえば、実施形態に示される全構成要件からいくつかの構成要件が削除されても、課題が解決でき、効果が得られる場合には、この構成要件が削除された構成が発明として抽出され得る。
【０１０８】
上記実施形態の一部または全部は、以下の付記のようにも記載され得るが、以下には限られるものではない。  
（付記１）
メモリと
前記メモリに格納されるプログラムで動作するプロセッサと、
を備え、
前記プロセッサは、
少なくとも血圧を含む生体情報を測定する検出装置から、コンテンツを享受するユーザの生体情報を取得し、
前記生体情報に基づいて、前記ユーザの興奮度を判定する、
情報処理装置。
【０１０９】
（付記２）
プロセッサによって実行される情報処理方法であって、
少なくとも血圧を含む生体情報を測定する検出装置から、コンテンツを享受するユーザの生体情報を取得し、
前記生体情報に基づいて、前記ユーザの興奮度を判定する、
情報処理方法。
【符号の説明】
【０１１０】
１…判定システム、１０…情報処理装置、１１…プロセッサ、１５…検出装置インターフェース、２０…検出装置、２１…プロセッサ、２３…通信部、２６…生体センサ、２７…加速度センサ、２８…環境センサ、４０…コンテンツ提供装置、２６１…血圧センサ、２８１…気温センサ。
【図１】
2018149081.tif 000003
【図２】
2018149081.tif 000004
【図３】
2018149081.tif 000005
【図４】
2018149081.tif 000006
【図５】
2018149081.tif 000007
【図６】
2018149081.tif 000008
【図７】
2018149081.tif 000009